(57)【要約】【課題】    排尿後において、排尿後滴下を防止する手段を、日常化するとともに、残尿が尿漏れ、失禁に及んだ場合の、対応ができる男性用下穿きを提供する。【解決手段】ブリーフ１又は褌型下着２の会陰部に当たる箇所に、突起又は飛行船型の立体物を指圧マーク３として設け、排尿後該指圧マーク３より球部尿道ｂを会陰部の奥から手前にしごくように圧迫する事によって残尿をなくし、又、該ブリーフ１又は褌型下着２の前身頃内側中央には、陰茎先端部の接する箇所に吸尿ナプキンを固着するナプキン収納ネット４を設け、排尿後滴下の防止と、尿漏れ失禁対応を備えたことを特徴としている。【選択図】図１
2009046793.tif 000002
【特許請求の範囲】
【請求項１】
ブリーフ１又は褌型下着２に於いて、会陰部に当たる箇所に突起又は飛行船型の立体物を指圧マーク３として設け、該指圧マーク３は該ブリーフ１又は褌型下着２の外側から手を触れると、その位置が容易に確認出きることを特徴とする男性用下穿き。
【請求項２】
前記ブリーフ１又は褌型下着２に於いて、前身頃内側中央部の、指圧マーク３上方陰茎先端部の接する箇所に、吸尿ナプキンを固定するナプキン収納ネット４を設けた請求項１記載の男性用下穿き。
【請求項３】
前記ナプキン収納ネット４は、底辺の短い台形のかたちをしたネット又はメッシュの両端を，該ブリーフ１又は褌型下着２の前身頃内側に縫いつけ上開口部４ｘ，下開口部４ｙは、開口されている事を特徴とする請求項１又は２記載の男性用下穿き。
【請求項４】
前記褌型下着２は、トランクス型の腰締め５に股間を褌６状にして被い一体化したことを特徴とする請求項１又は２，３記載の男性用下穿き。
【発明の詳細な説明】
【技術分野】
【０００１】  本発明は、排尿後において排尿後滴下を防止する手段を工夫し、加えて尿漏れの場合の吸尿ナプキンを備える事の出きる軽失禁の男性用下穿きに関するものである。
【背景技術】
【０００２】  排尿後、よく振ったにも係わらず、ズボンのファスナー７を閉じ一歩踏み出すとジワット又はダラダラと尿がしみ出た経験のある人の多いことは周知の事である。加齢が進むに従い、尿道ｃをとりかこむ球海綿体筋の収縮機能が低下し、排尿後滴下、尿失禁の傾向は多くなる。従来、その対策は失禁パッドが主流である。【０００３】
【特許文献１】  特開平９−１１９００１号公報
【非特許文献１】  「排泄学」ことはじめ  医学書院  Ｐ１９３
【発明の開示】
【発明が解決しようとする課題】
【０００４】  以上に述べた排尿後滴下、尿失禁の程度は個人差が大きく、それぞれのその対応は見過ごされている事が多い。【０００５】  本発明は、疾患による排尿困難、例えば頻尿、糖尿病、尿崩症、膀胱炎、前立腺結石、前立腺肥大症等々以外の、尿漏れ、失禁に対する対応、対策を実現する事を目的とするものである。【０００６】  課題は、尿漏れ、失禁を少なくする工夫と、尿漏れ、失禁に対する対応を、外観上知られない商品に仕上げ問題を解決しようとするものであり、排尿後滴下の日常的防止と、失禁対応を備えた男性用下穿きを実現する事である。
【課題を解決するための手段】
【０００７】  本発明は、上記の目的を達成するため、ブリーフ１又は褌型下着２に於いて会陰部に当たる箇所に、突起又は飛行船型の立体物を指圧マーク３として設け、該指圧マーク３は、該ブリーフ１又は褌型下着２の外側から手を触れると、その位置が容易に確認でき、排尿後指圧マーク３より球部尿道ｂを会陰部の奥から手前にしごくように圧迫し、球部尿道ｂ、尿道ｃにたまっている尿を押しだし残尿排泄動作によって残尿を排泄し、漏れ、失禁を無くすることを主なる手段とする。【０００８】  併し、排尿後、指圧マーク３より球部尿道ｂを会陰部の奥から手前にしごくように圧迫し、球部尿道ｂ、尿道ｃにたまっている尿を前記のように残尿排泄動作を行っても、排尿時の状況、即ち障害になる下穿き、例えば図５に示すようにファスナー７の位置等による陰茎ｄの角度、布地の重なりによる陰茎ｄにたいする圧迫等の有無により排泄しきれない場合がある。【０００９】  上記課題の尿漏れ、失禁を少なくする工夫に於いて、残尿排泄動作を行っても排泄しきれない場合、即ち少量の残尿、尿漏れを想定し、ブリーフ１又は褌型下着２の前身頃内側中央部、指圧マーク３上方、陰茎先端部の接する箇所に、底辺の短い台形のかたちをしたネット又はメッシュの左右両端を前身頃内側に縫いつけ上開口部４ｘ、下開口部４ｙとし上、下、開口されているナプキン収納ネット４を設け、該上開口部４ｘよりナプキンを量を踏まえて挿入固着し吸尿をたすけ対応をする。
【発明の効果】
【００１０】  上述したように尿漏れ、失禁については、疾患による排尿困難以外の者であれば、排尿後、残尿排泄動作を日常化する事によって残尿を減らすことは出きる。尿漏れ失禁の量にに合わせ、失禁パッドを使用するのではなく、尿漏れ失禁の量を減らす工夫をし、衛生面において快適さを取り戻すことである。指圧マーク３は老若、健常者、疾患者に係わらず残尿を少なくする啓蒙マークであり尿漏れ防止に役立つ。【００１１】  上述したように本発明は排尿後の残尿を減らすことを工夫し、尿漏れ失禁を無くすることを目的とするが、尿漏れがある場合に備え、ナプキンを、ナプキン収納ネット４の上開口部４ｘより二つ折りにした片方を挿入し残る片方はナプキン収納ネット４を覆い被せ固着しその対応とする。尚ナプキンの量は尿漏れに合わせる。【００１２】  指圧マーク３の付いた下穿きを使用する事によって、排尿後の残尿にたいする意識を高め、残尿排泄動作を実行し尿漏れを少なくし、ナプキンの量を減らす事ができる。外観上も他人に知られずにすみ効果を発揮するものである。
【発明の実施するための最良の形態】
【００１３】  以下、本発明の実施の形態を図１〜図５に基づいて説明する。
【００１４】  図においては、図１の１はブリーフ、図３の２は褌型下着で、褌型下着２はトランクスを使用する場合併用して用いる。先ず褌型下着２を穿きその上にトランクスを穿く。
【００１５】  本発明は、排尿後如何にして残尿を少なく、無くするかを目的としている。実験とデータによると、家庭内において便器に座して排尿した場合と、トランクス状の下穿きにおいて男性用便器に排尿した場合は、図４で示すように自然体に近い状態で、膀胱ｆ、球部尿道ｂ、尿道ｃは下降向きになり残尿は少なく又無いことがある。
【００１６】  図５は、排尿時ズボンのファスナー７から陰茎ｄをだした概略断面図である。外出時多くの場合の排尿形態は上記の状態が一般的で、排尿時持ち上げられた陰茎ｄは、膀胱ｆからつながる球部尿道ｂ尿道ｃは上向きになり、加えて尿道ｃをとりかこむ球海綿体筋の収縮機能低下が認められる場合、多くの尿を球部尿道ｂ尿道ｃに残すことになる。毎回ではないが、この場合排尿後の残尿排泄動作時、線状に尿跡を描く程に残尿の排泄が認められる。
【００１７】  前記から、排尿時の環境を改善することによって、例えばブリーフ１は開口部８の長めのもの、ズボンのファスナー７は下方に長く開くもの、褌型下着２とトランクスの組み合わせのものが好ましく、排尿後の残尿を減らす事ができる。
【００１８】  以下、上記構成の動作を説明する。排尿後、ブリーフ１又は褌型下着２に於いて、指圧マーク３より球部尿道ｂを、会陰部の奥から手前にしごくように圧迫し、球部尿道ｂ尿道ｃにたまっている尿を押しだし残尿排泄動作によって残尿を排泄した後陰茎ｄを納める。排泄しきれない残尿による尿漏れは、指圧マーク３上方にあるナプキン収納ネット４に固着してあるナプキンによって吸尿される。又ナプキンの交換は容易であり、外観上も知られる事もない。
【図面の簡単な説明】
【００１９】
【図１】  ブリーフの斜視図
【図２】  図１におけるＡ−Ａ断面図
【図３】  褌型下着の斜視図
【図４】  男性の下半身部分の概略断面図
【図５】  男性の下半身部分のファスナーの位置による球部尿道、尿道の概略断面図
【符号の説明】
【００２０】  １        ブリーフ
２        褌型下着
３        指圧マーク
４        ナプキン収納ネット
４ｘ      上開口部
４ｙ      下開口部
５        腰締め
６        褌
７        ファスナー
８        開口部
ｆ        膀胱
ｂ        球部尿道
ｃ        尿道
ｄ        陰茎
【図１】
2009046793.tif 000003
【図２】
2009046793.tif 000004
【図３】
2009046793.tif 000005
【図４】
2009046793.tif 000006
【図５】
2009046793.tif 000007